(57)【特許請求の範囲】
【請求項１】
物理下り制御チャンネル（ＰＤＣＣＨ）資源の確定方法であって、
基地局は、上りフィードバック情報の取得時刻にユーザー端末（ＵＥ）よりフィードバックされたハイブリッド自動再送要求（ＨＡＲＱ）を取得するステップと、
受信された、当該ＵＥよりフィードバックされたＨＡＲＱが肯定応答（ＡＣＫ）または否定応答（ＮＡＣＫ）であり、かつ当該ＡＣＫまたはＮＡＣＫフィードバックが当該ＵＥの現在の制御チャネルパワーと制御チャネルエレメント（ＣＣＥ）集合度に対応する場合、基地局は、当該ＵＥの制御チャネルパワーとＣＣＥ集合度の少なくとも１つを下げるステップと、
受信された、当該ＵＥよりフィードバックされたＨＡＲＱが不連続送信（ＤＴＸ）であり、かつ、当該ＤＴＸフィードバックが当該ＵＥの制御チャネルパワーとＣＣＥ集合度に対応する場合、基地局は、当該ＵＥの制御チャネルパワーとＣＣＥ集合度の少なくとも１つを上げるステップと、を含み、
当該ＵＥの制御チャネルパワーとＣＣＥ集合度の少なくとも１つを下げる前記ステップは、
現在の時刻がＣＣＥ集合度調整タイミングであるかどうかを判断し、
現在の時刻がＣＣＥ集合度調整タイミングであると判断した場合、当該ＵＥのＣＣＥ集合度を下げて制御チャネルパワーを補償し、
現在の時刻が制御チャネルパワー調整タイミングである場合、当該ＵＥの制御チャネルパワーを下げることを含む方法。
【請求項２】
当該ＵＥのＣＣＥ集合度を下げて制御チャネルパワーを補償する前記ステップは、
現在のＵＥの制御チャネルパワーが設定された第１パワー閾値よりも小さいかどうか、及び、当該ＵＥの現在のＣＣＥ集合度が当該第１パワー閾値に対応するＣＣＥ集合度区間範囲内にあるかどうかを判断して、当該ＵＥの制御チャネルパワーが設定された第１パワー閾値よりも小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅との和に調整させ、
調整後の当該ＣＣＥ統計量が設定された、下げられたＣＣＥ集合度閾値よりも以下であるかどうかを判断して、当該調整後の当該ＣＣＥ統計量が設定された、下げられたＣＣＥ集合度閾値よりも以下である場合、ＣＣＥ集合度を現在のＣＣＥ集合度の半分に調整させ、ＵＥの現在の制御チャネルパワーによって、調整後の当該ＵＥのＣＣＥ集合度を確定し、
設定された、下げられたＣＣＥ集合度に対応するパワー補償ステップ幅によって、当該ＵＥの制御チャネルパワーを補償することを含む
請求項１に記載の方法。
【請求項３】
当該ＵＥの制御チャネルパワーを下げる前記ステップは、
設定されたパワー下向き調整ステップ幅によって、当該ＵＥの制御チャネルパワーを下げることを含む
請求項１に記載の方法。
【請求項４】
当該ＵＥの制御チャネルパワーとＣＣＥ集合度の少なくとも１つを上げる前記ステップは、
現在の時刻がＣＣＥ集合度調整タイミングであるかどうかを判断し、
現在の時刻がＣＣＥ集合度調整タイミングであると判断した場合，当該ＵＥのＣＣＥ集合度を上げてイネーブルスイッチによって制御チャネルパワーを調整するかどうかを判断して、イネーブルスイッチがイネーブリングされる場合、制御チャネルパワーを上げ、
現在の時刻がパワー調整タイミングであると判断した場合、当該ＵＥの制御チャネルパワーを上げることを含む
請求項１に記載の方法。
【請求項５】
当該ＵＥの制御チャネルパワーとＣＣＥ集合度を上げる前記ステップは、
現在のＵＥの制御チャネルパワーが設定された第２パワー閾値よりも大きいかどうか、及び、当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、
調整後の当該ＣＣＥ統計量が設定された、上げたＣＣＥ集合度閾値よりも大きいかどうかを判断して、当該調整後の当該ＣＣＥ統計量が設定された、上げたＣＣＥ集合度閾値よりも大きい場合、ＣＣＥ集合度を現在のＣＣＥ集合度の２倍に調整させ、ＵＥの現在のパワーによって、調整後の当該ＵＥのＣＣＥ集合度を確定し、
イネーブルスイッチがイネーブリングされる場合、設定された、上げたＣＣＥ集合度に対応するパワー補償ステップ幅によって、当該ＵＥの制御チャネルパワーを調整することを含む
請求項４に記載の方法。
【請求項６】
当該ＵＥの制御チャネルパワーを上げる前記ステップは、
設定されたパワー上向き調整ステップ幅によって、当該ＵＥの制御チャネルパワーを上げることを含む
請求項４に記載の方法。
【請求項７】
上りフィードバック情報の取得時刻に、ユーザー端末（ＵＥ）よりフィードバックされたハイブリッド自動再送要求（ＨＡＲＱ）を取得したかどうかを判断するように構成される判断モジュールと、
受信された当該ＵＥよりフィードバックされたＨＡＲＱが肯定応答（ＡＣＫ）または否定応答（ＮＡＣＫ）であり、かつ当該ＡＣＫまたはＮＡＣＫフィードバックが当該ＵＥの現在の制御チャネルパワーと制御チャネルエレメント（ＣＣＥ）集合度に対応する場合、当該ＵＥの制御チャネルパワーとＣＣＥ集合度の少なくとも１つを下げるように構成される第１調整モジュールと、
受信された当該ＵＥよりフィードバックされたＨＡＲＱが不連続送信ＤＴＸであり、当該ＤＴＸフィードバックが当該ＵＥの制御チャネルパワーとＣＣＥ集合度に対応する場合、当該ＵＥの制御チャネルパワーとＣＣＥ集合度の少なくとも１つを上げるように構成される第２調整モジュールと、を備え、
前記第１調整モジュールは、具体的に、現在の時刻がＣＣＥ集合度調整タイミングであるかどうかを判断して、現在の時刻がＣＣＥ集合度調整タイミングであると判断した場合、当該ＵＥのＣＣＥ集合度を下げて制御チャネルパワーを補償し、現在の時刻がパワー調整タイミングであると判断した場合、当該ＵＥの制御チャネルパワーを下げるように構成される物理下り制御チャンネル（ＰＤＣＣＨ）資源の確定装置。
【請求項８】
前記第１調整モジュールは、具体的に、現在のＵＥの制御チャネルパワーが設定された第１パワー閾値よりも小さいかどうか、及び、当該ＵＥの現在のＣＣＥ集合度が当該第１パワー閾値に対応するＣＣＥ集合度区間範囲内にあるかどうかを判断して、当該ＵＥの制御チャネルパワーが設定された第１パワー閾値よりも小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅との和に調整させ、調整後の当該ＣＣＥ統計量が設定された、下げられたＣＣＥ集合度閾値よりも以下であるかどうかを判断して、当該調整後の当該ＣＣＥ統計量が設定された下げられたＣＣＥ集合度閾値よりも以下である場合、ＣＣＥ集合度を現在のＣＣＥ集合度の半分に調整させ、ＵＥの現在のパワーによって、調整後の当該ＵＥのＣＣＥ集合度を確定し、設定された、下げられたＣＣＥ集合度に対応するパワー補償ステップ幅によって、当該ＵＥの制御チャネルパワーを補償するように構成される
請求項７に記載の装置。
【請求項９】
前記第１調整モジュールは、具体的に、設定されたパワー下向き調整ステップ幅によって、当該ＵＥの制御チャネルパワーを下げるように構成される
請求項７に記載の装置。
【請求項１０】
前記第２調整モジュールは、具体的に、現在の時刻がＣＣＥ集合度調整タイミングであるかどうかを判断して、現在の時刻が現在のＣＣＥ集合度に対応するパワー調整タイミングであると判断した場合、当該ＵＥのＣＣＥ集合度を上げてイネーブルスイッチによって制御チャネルパワーを調整するかどうかを判断して、イネーブルスイッチがイネーブリングされる場合、制御チャネルパワーを上げ、現在の時刻がパワー調整タイミングであると判断した場合、当該ＵＥの制御チャネルパワーを上げるように構成される
請求項７に記載の装置。
【請求項１１】
前記第２調整モジュールは、具体的に、現在のＵＥの制御チャネルパワーが設定された第２パワー閾値よりも大きいかどうか、及び、当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、調整後の当該ＣＣＥ統計量が設定された上げたＣＣＥ集合度閾値よりも大きいかどうかを判断して、当該調整後の当該ＣＣＥ統計量が設定された上げたＣＣＥ集合度閾値よりも大きい場合、ＣＣＥ集合度を現在のＣＣＥ集合度の２倍に調整させ、ＵＥの現在のパワーによって、調整後の当該ＵＥのＣＣＥ集合度を確定し、ネーブルスイッチがイネーブリングされる場合、設定された上げたＣＣＥ集合度に対応するパワー補償ステップ幅によって、当該ＵＥの制御チャネルパワーを調整させるように構成される
請求項１０に記載の装置。
【請求項１２】
前記第２調整モジュールは、具体的に、設定されたパワー上向き調整ステップ幅によって、当該ＵＥの制御チャネルパワーを上げるように構成される
請求項１０に記載の装置。
【発明の詳細な説明】
【技術分野】
【０００１】
本発明は、通信技術分野に関し、特に、物理下り制御チャンネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）資源の確定方法及び装置に関する。
【背景技術】
【０００２】
第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰ）長期発展型（Ｌｏｎｇ  Ｔｅｒｍ  Ｅｖｏｌｕｔｉｏｎ：ＬＴＥ）システムにおいて、基地局は、ユーザー端末（ＵＥ）の伝送モード及び伝送スキームによって、ＵＥのために様々な下り制御情報（Ｄｏｗｎ  ｌｉｎｋ  Ｃｏｎｔｒｏｌ    Ｉｎｆｏｒｍａｔｉｏｎ：ＤＣＩ）のフォーマットタイプを選んで送信し、かつＵＥに送信された様々なＤＣＩフォーマットタイプがＰＤＣＣＨにベアリングされて伝送される。
【０００３】
ＬＴＥより定義された１０ｍｓの無線フレーム構造において、１ｍｓの下りサブフレームは、１つの送信時間間隔（Ｔｒａｎｓｍｉｓｓｉｏｎ  Ｔｉｍｅ  Ｉｎｔｅｒｖａｌ：ＴＴＩ）に対応し、ＰＤＣＣＨは、時間領域上の前のｎ個の直交波周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）シンボル、及び、周波数領域上の物理制御フォーマット指示チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ：ＰＣＦＩＣＨ）、物理ＨＡＲＱ指示チャネル（Ｐｈｙｓｉｃａｌ  ＨＡＲＱ  Ｉｎｄｉｃａｔｏｒ  Ｃｈａｎｎｅｌ：ＰＨＩＣＨ）などを含む他のチャネルによって占有された周波帯を除去した余剰周波帯のみを占有する。従って、各下りサブフレームにおいて、ＰＤＣＣＨのために使用されるのは、ただ限られた量の予めに保留される時間周波数資源だけである。
【０００４】
ＰＤＣＣＨ時間周波数資源の割り当ての最小単位は、制御チャネルエレメント（Ｃｏｎｔｒｏｌ  Ｃｈａｎｎｅｌ  Ｅｌｅｍｅｎｔ：ＣＣＥ）であり、１つのＣＣＥに９つの資源エレメントグループ（Ｒｅｓｏｕｒｃｅ  Ｅｌｅｍｅｎｔ  Ｇｒｏｕｐ：ＲＥＧ）、即ち、３６個の資源エレメント（Ｒｅｓｏｕｒｃｅ  Ｅｌｅｍｅｎｔ：ＲＥ）が含まれる。ＰＤＣＣＨは、すべて直交移相キーイング（Ｑｕａｄｒａｔｕｒｅ  ＰｈａｓｅＳｈｉｆｔ  Ｋｅｙｉｎｇ：ＱＰＳＫ）で変調され、シンボル率の変化に依存してチャネルの変化に適応し、シンボル率の変化がＣＣＥ集合度（即ち、チャネルによって千有された資源の数）に対応し、プロトコルにおいてＣＣＥは１、２、４、８という４種の集合度がある。
【０００５】
従来技術においてチャネル制御ブロックの数を確定する方法が提案される。当該方法では、チャネル品質指示子（Ｃｈａｎｎｅｌ  Ｑｕａｌｉｔｙ  Ｉｎｄｉｃａｔｏｒ：ＣＱＩ）情報によって、１つの無線フレームにおける各選択可能なＰＤＣＣＨのベアリング可能な最大ヒット数を確定する必要があり、確定されたそれぞれのＰＤＣＣＨのベアリング可能な最大ヒット数及び現在の伝送すべき制御シグナリングのデータ量によって、各ＰＤＣＣＨの品質パラメータを確定し、確定されたすべてのＰＤＣＣＨの品質パラメータにおける最大の品質パラメータと閾値を比較させ、比較結果によって１つの無線フレームにおけるすべての選択可能なＰＤＣＣＨから１つのＰＤＣＣＨを選んで、選択されたＰＤＣＣＨに対応する制御チャネルブロックの数を確定する。
【０００６】
従来技術に開示されたスキームによれば、従来技術では全てサービスチャネルのチャネル品質によって制御チャネルＰＤＣＣＨのチャネル品質を推定し、このように対応するＣＣＥ集合度を確定する。しかし、サービスチャネルの送信方式及びパワー制御などのスキームが制御チャネルと大きい差異があるので、サービスチャネルの品質と制御チャネルの品質は、大きい差異があるかもしれない。そのため、直接サービスチャネルのチャネル品質情報を用いて制御チャネルの品質を推定する場合に大きい推定誤差があり、このように、確定されたＣＣＥ集合度のレベルが適当ではなく、かつ、ＰＤＣＣＨはサービスチャネルのように複数回の伝送の合併利得が存在することがない。従って、サービスチャネルのチャネル品質を利用して制御チャネルを推定することは、ＰＤＣＣＨの伝送性能を保証できない。
【０００７】
また、ＰＤＣＣＨ資源には、ＣＣＥ集合度即ち時間周波数資源に加えて、パワー資源が含まれる。従来技術ではＰＤＣＣＨのパワー資源の割り当てスキームが開示されていない。システムにおけるＵＥの数が多い場合、データと制御資源は、主にＰＤＣＣＨに制限される。従って、合理的にパワーを調整すると、ＵＥは、小さいＣＣＥ集合度を採用することが可能となり、それによってＰＤＣＣＨの時間周波数資源不足の状況を改善し、データ資源の利用率を向上させる。
【発明の概要】
【発明が解決しようとする課題】
【０００８】
本発明の実施形態によれば、従来技術においてＰＤＣＣＨ資源の確定方法が不合理であるので、確定されたＣＣＥ集合度のレベルが適当ではなく、及びパワー制御が欠ける問題を、解決するように、ＰＤＣＣＨ資源の確定方法及び装置を提供する。
【課題を解決するための手段】
【０００９】
本発明の実施形態に係る物理下り制御チャンネル（ＰＤＣＣＨ）資源の確定方法は、
基地局が上りフィードバック情報の取得時刻にユーザー端末（ＵＥ）よりフィードバックされたハイブリッド自動再送要求（ＨＡＲＱ）を取得するステップと、
受信された当該ＵＥよりフィードバックされたＨＡＲＱが肯定応答（ＡＣＫ）または否定応答（ＮＡＣＫ）であり、かつ当該ＡＣＫまたはＮＡＣＫフィードバックが当該ＵＥの現在の制御チャネルパワーと制御チャネルエレメント（ＣＣＥ）集合度に対応する場合、基地局が当該ＵＥの制御チャネルパワーとＣＣＥ集合度の少なくとも１つを下げるステップと、
受信された当該ＵＥよりフィードバックされたＨＡＲＱが不連続送信（ＤＴＸ）であり、かつ、当該ＤＴＸフィードバックが当該ＵＥの制御チャネルパワーとＣＣＥ集合度に対応する場合、基地局が当該ＵＥの制御チャネルパワーとＣＣＥ集合度の少なくとも１つを上げるステップとを含む。
【００１０】
当該ＵＥの制御チャネルパワーとＣＣＥ集合度の少なくとも１つを下げる前記ステップは、
現在の時刻がＣＣＥ集合度調整タイミングであるかどうかを判断し、
現在の時刻がＣＣＥ集合度調整タイミングであると判断した場合、当該ＵＥのＣＣＥ集合度を下げて制御チャネルパワーを補償し、
現在の時刻が制御チャネルパワー調整タイミングである場合、当該ＵＥの制御チャネルパワーを下げることを含む。
【００１１】
当該ＵＥのＣＣＥ集合度を下げて制御チャネルパワーを補償する前記ステップは、
現在のＵＥの制御チャネルパワーが設定された第１パワー閾値よりも小さいかどうか、及び、当該ＵＥの現在のＣＣＥ集合度が当該第１パワー閾値に対応するＣＣＥ集合度区間範囲内にあるかどうかを判断し、当該ＵＥの制御チャネルパワーが設定された第１パワー閾値よりも小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅との和に調整させ、
調整後の当該ＣＣＥ統計量が設定された下げられたＣＣＥ集合度閾値よりも以下であるかどうかを判断して、当該調整後の当該ＣＣＥ統計量が設定された下げられたＣＣＥ集合度閾値よりも以下である場合、ＣＣＥ集合度を現在のＣＣＥ集合度の半分に調整させ、ＵＥの現在の制御チャネルパワーによって、調整後の当該ＵＥのＣＣＥ集合度を確定し、
設定された下げられたＣＣＥ集合度に対応するパワー補償ステップ幅によって、当該ＵＥの制御チャネルパワーを補償することを含む。
【００１２】
当該ＵＥの制御チャネルパワーを下げる前記ステップは、
設定されたパワー下向き調整ステップ幅によって、当該ＵＥの制御チャネルパワーを下げることを含む。
【００１３】
当該ＵＥの制御チャネルパワーとＣＣＥ集合度の少なくとも１つを上げる前記ステップは、
現在の時刻がＣＣＥ集合度調整タイミングであるかどうかを判断し、
現在の時刻がＣＣＥ集合度調整タイミングであると判断した場合、当該ＵＥのＣＣＥ集合度を上げてイネーブルスイッチによって制御チャネルパワーを調整するかどうかを判断して、イネーブルスイッチがイネーブリングされる場合、制御チャネルパワーを上げ、
現在の時刻がパワー調整タイミングであると判断した場合、当該ＵＥの制御チャネルパワーを上げることを含む。
【００１４】
当該ＵＥの制御チャネルパワーとＣＣＥ集合度を上げる前記ステップは、
現在のＵＥの制御チャネルパワーが設定された第２パワー閾値よりも大きいかどうか、及び、当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、
調整後の当該ＣＣＥ統計量が設定された、上げたＣＣＥ集合度閾値よりも大きいかどうかを判断して、当該調整後の当該ＣＣＥ統計量が設定された、上げたＣＣＥ集合度閾値よりも大きい場合、ＣＣＥ集合度を現在のＣＣＥ集合度の２倍に調整させ、ＵＥの現在のパワーによって、調整後の当該ＵＥのＣＣＥ集合度を確定し、
イネーブルスイッチがイネーブリングされる場合、設定された、上げたＣＣＥ集合度に対応するパワー補償ステップ幅によって、当該ＵＥの制御チャネルパワーを調整することを含む。
【００１５】
当該ＵＥの制御チャネルパワーを上げる前記ステップは、
設定されたパワー上向き調整ステップ幅によって、当該ＵＥの制御チャネルパワーを上げることを含む。
【００１６】
また、本発明の実施形態に係る物理下り制御チャンネル（ＰＤＣＣＨ）資源の確定装置は、
上りフィードバック情報の取得時刻に、ユーザー端末（ＵＥ）よりフィードバックされたハイブリッド自動再送要求（ＨＡＲＱ）を取得したかどうかを判断するように構成される判断モジュールと、
受信された当該ＵＥよりフィードバックされたＨＡＲＱが肯定応答（ＡＣＫ）または否定応答（ＮＡＣＫ）であり、かつ当該ＡＣＫまたはＮＡＣＫフィードバックが当該ＵＥの現在の制御チャネルパワーと制御チャネルエレメント（ＣＣＥ）集合度に対応する場合、当該ＵＥの制御チャネルパワーとＣＣＥ集合度の少なくとも１つを下げるように構成される第１調整モジュールと、
受信された当該ＵＥよりフィードバックされたＨＡＲＱが不連続送信ＤＴＸであり、かつ当該ＤＴＸフィードバックが当該ＵＥの制御チャネルパワーとＣＣＥ集合度に対応する場合、当該ＵＥの制御チャネルパワーとＣＣＥ集合度の少なくとも１つを上げるように構成される第２調整モジュールと、を備える。
【００１７】
前記第１調整モジュールは、具体的に、現在の時刻がＣＣＥ集合度調整タイミングであるかどうかを判断して、現在の時刻がＣＣＥ集合度調整タイミングであると判断した場合、当該ＵＥのＣＣＥ集合度を下げて制御チャネルパワーを補償し、現在の時刻がパワー調整タイミングであると判断した場合、当該ＵＥの制御チャネルパワーを下げるように構成される。
【００１８】
前記第１調整モジュールは、具体的に、現在のＵＥの制御チャネルパワーが設定された第１パワー閾値よりも小さいかどうか、及び、当該ＵＥの現在のＣＣＥ集合度が当該第１パワー閾値に対応するＣＣＥ集合度区間範囲内にあるかどうかを判断して、当該ＵＥの制御チャネルパワーが設定された第１パワー閾値よりも小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅との和に調整させ、調整後の当該ＣＣＥ統計量が設定された、下げられたＣＣＥ集合度閾値よりも以下であるかどうかを判断して、当該調整後の当該ＣＣＥ統計量が設定された下げられたＣＣＥ集合度閾値よりも以下である場合、ＣＣＥ集合度を現在のＣＣＥ集合度の半分に調整させ、ＵＥの現在のパワーによって、調整後の当該ＵＥのＣＣＥ集合度を確定し、設定された、下げられたＣＣＥ集合度に対応するパワー補償ステップ幅によって、当該ＵＥの制御チャネルパワーを補償するように構成される。
【００１９】
前記第１調整モジュールは、具体的に、設定されたパワー下向き調整ステップ幅によって、当該ＵＥの制御チャネルパワーを下げるように構成される。
【００２０】
前記第２調整モジュールは、具体的に、現在の時刻がＣＣＥ集合度調整タイミングであるかどうかを判断して、現在の時刻が現在のＣＣＥ集合度に対応するパワー調整タイミングであると判断した場合、当該ＵＥのＣＣＥ集合度を上げてイネーブルスイッチによって制御チャネルパワーを調整するかどうかを判断して、イネーブルスイッチがイネーブリングされる場合、制御チャネルパワーを上げ、現在の時刻がパワー調整タイミングであると判断した場合、当該ＵＥの制御チャネルパワーを上げるように構成される。
【００２１】
前記第２調整モジュールは、具体的に、現在のＵＥの制御チャネルパワーが設定された第２パワー閾値よりも大きいかどうか、及び、当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、調整後の当該ＣＣＥ統計量が設定された上げたＣＣＥ集合度閾値よりも大きいかどうかを判断して、当該調整後の当該ＣＣＥ統計量が設定された上げたＣＣＥ集合度閾値よりも大きい場合、ＣＣＥ集合度を現在のＣＣＥ集合度の２倍に調整させ、ＵＥの現在のパワーによって、調整後の当該ＵＥのＣＣＥ集合度を確定し、ネーブルスイッチがイネーブリングされる場合、設定された上げたＣＣＥ集合度に対応するパワー補償ステップ幅によって、当該ＵＥの制御チャネルパワーを調整するように構成される。
【００２２】
前記第２調整モジュールは、具体的に、設定されたパワー上向き調整ステップ幅によって、当該ＵＥの制御チャネルパワーを上げるように構成される。
【発明の効果】
【００２３】
本発明の実施形態では、ＵＥが当該基地局より送信された情報を受信したかどうかによって、ＵＥの制御チャネルパワーとＣＣＥ集合度を調整するので、ＵＥよりフィードバックされたＡＣＫまたはＮＡＣＫを受信した場合、ＵＥが基地局より送信された情報を受信したと確認し、制御チャネルのパワーとＵＥのＣＣＥ集合度を下げて、ＵＥよりフィードバックされたＤＴＸを受信した場合、ＵＥが基地局より送信された情報を受信していないと確認し、制御チャネルのパワーとＵＥのＣＣＥ集合度を上げる必要があり、このように、制御チャネルパワーとＣＣＥ集合度調整の合理性、及び正確性を保証する。
【図面の簡単な説明】
【００２４】
【図１】本発明に係る当該ＰＤＣＣＨ資源の確定プロセスを示す図である。
【図２】本発明に係る当該ＰＤＣＣＨ資源の詳細な確定プロセスを示す図である。
【図３】本発明に係る当該ＰＤＣＣＨ資源の確定装置の構成を示す図である。
【発明を実施するための形態】
【００２５】
本発明が解決しようとする技術的問題、技術スキーム及び有益な効果がより明確で、理解しやすくなるように、以下に添付図面と実施形態を組み合せて本発明を詳細に説明する。ここで記載する具体的な実施形態は、単に本発明を説明するためであるが、本発明を限定することに用いられるものではない。
【００２６】
本発明の実施形態によれば、確定されたＰＤＣＣＨの時間領域資源及びパワー資源の合理性、及び正確性を保証するために、ＰＤＣＣＨ資源の確定方法及び装置を提供する。ここで、本発明の実施形態では、当該ＰＤＣＣＨ資源は、ＰＤＣＣＨの時間周波数資源、即ちＣＣＥ集合度及びパワー資源を含む。
【００２７】
図１は本発明に係る当該ＰＤＣＣＨ資源確定のプロセスを示す図であり、当該プロセスは、下記のステップを含む。
【００２８】
Ｓ１０１：基地局は、上りフィードバック情報の取得時刻にユーザー端末（ＵＥ）よりフィードバックされたハイブリッド自動再送要求（Ｈｙｂｒｉｄ  Ａｕｔｏｍａｔｉｃ  Ｒｅｐｅａｔ  Ｒｅｑｕｅｓｔ：ＨＡＲＱ）を取得したかどうかを判断する。
【００２９】
具体的には、本発明において基地局が上りフィードバック情報時刻にＵＥよりフィードバックされた情報を受信する可能性があり、ＵＥよりフィードバックされた情報を受信しない可能性もある。基地局がＵＥよりフィードバックされた情報を受信した場合、受信された情報がＨＡＲＱであるかどうかを判断し、当該情報がＨＡＲＱである場合に後続のステップを行い、それ以外の場合は、ＰＤＣＣＨ資源の確定プロセスを行わない。
【００３０】
Ｓ１０２：受信された当該ＵＥよりフィードバックされたＨＡＲＱが肯定応答（Ａｃｋｎｏｗｌｅｄｇｅｍｅｎｔ：ＡＣＫ）または否定応答（Ｎｅｇａｔｉｖｅ  Ａｃｋｎｏｗｌｅｄｇｅｍｅｎｔ：ＮＡＣＫ）であり、かつ当該ＡＣＫまたはＮＡＣＫフィードバックが当該ＵＥの現在の制御チャネルパワーと制御チャネルエレメントＣＣＥ集合度に対応する場合、基地局は、当該ＵＥの制御チャネルパワーとＣＣＥ集合度の少なくとも１つを下げる。
【００３１】
ここで、本発明においては当該ＨＡＲＱ情報がＡＣＫ、ＮＡＣＫ情報、またはＤＴＸであるかどうかに対して異なる資源確定プロセスを採用する。
【００３２】
当該ＨＡＲＱ情報がＡＣＫまたはＮＡＣＫ情報である場合、当該ＵＥの制御チャネルパワーとＣＣＥ集合度の少なくとも１つを下げることは、現在の時刻がＣＣＥ集合度調整タイミングであるかどうかを判断し、
現在の時刻がＣＣＥ集合度調整タイミングであると判断した場合、当該ＵＥのＣＣＥ集合度を下げて制御チャネルパワーを補償し、
現在の時刻がパワー調整タイミングであると判断した場合、当該ＵＥの制御チャネルパワーを下げることを含む。
【００３３】
Ｓ１０３：受信された当該ＵＥよりフィードバックされたものが不連続送信（Ｄｉｓｃｏｎｔｉｎｕｏｕｓ  Ｔｒａｎｓｍｉｓｓｉｏｎ：ＤＴＸ）であり、かつ当該ＤＴＸフィードバックが当該ＵＥの制御チャネルパワーとＣＣＥ集合度に対応する場合、当該ＵＥの制御チャネルパワーとＣＣＥ集合度の少なくとも１つを上げる。
【００３４】
当該ＨＡＲＱ情報がＤＴＸである場合、当該ＵＥの制御チャネルパワーとＣＣＥ集合度の少なくとも１つを上げることは、
現在の時刻がＣＣＥ集合度調整タイミングであるかどうかを判断し、
現在の時刻がＣＣＥ集合度調整タイミングであると判断した場合、当該ＵＥのＣＣＥ集合度を上げてイネーブルスイッチによって制御チャネルパワーを調整するかどうかを判断し、イネーブルスイッチがイネーブリングされる場合、制御チャネルパワーを上げ、
現在の時刻がパワー調整タイミングであると判断した場合、当該ＵＥの制御チャネルパワーを上げることを含む。
【００３５】
また、本発明の実施形態では、基地局がＵＥより送信されたＡＣＫまたはＮＡＣＫ情報を受信した場合、基地局は、ＵＥが下りスケジューリング時刻に送信された情報を受信したと確認する。これは、この場合に当該ＵＥの制御チャネルパワー及びＣＣＥ集合度がデータの伝送を保証できることを示す。資源を効果的に利用するために、基地局はＰＤＣＣＨの伝送性能を保証する前提で、ＵＥの制御チャネルパワー及びＣＣＥ集合度の少なくとも１つを下げる。同時に、当該基地局がＵＥより送信されたＤＴＸを受信した場合、基地局は、ＵＥが下りスケジューリング時刻に送信された情報を受信していないと確認する。これは、この場合にＰＤＣＣＨの伝送性能を保証できないことを示し、ＵＥの制御チャネルパワー及びＣＣＥ集合度の少なくとも１つを下げる必要がある。
【００３６】
ＵＥの制御チャネルパワーとＣＣＥ集合度の少なくとも１つを調整するかどうかを確定する場合、当該ＡＣＫ/ＮＡＣＫ情報またはＤＴＸ情報が当該ＵＥの現在の制御チャネルパワー及びＣＣＥ集合度に対応するかどうかを判断する必要がある。
【００３７】
本発明の実施形態では、制御チャネルパワー調整タイミングとＣＣＥ集合度調整タイミングが設定され、現在の時刻がＣＣＥ集合度調整タイミングであり、かつある条件を満たす場合、ＣＣＥ集合度と制御チャネルパワーの調整を行い、現在の時刻が制御チャネルパワー調整タイミングである場合、ＵＥの制御チャネルパワーを調整する。
【００３８】
図２は本発明の実施形態に係る当該ＰＤＣＣＨ資源の詳細な確定プロセスを示す図であり、当該過程は下記のステップを含む。
【００３９】
Ｓ２０１：基地局は上りフィードバック情報の取得時刻に、ユーザー端末（ＵＥ）よりフィードバックされたハイブリッド自動再送要求（ＨＡＲＱ）を取得したかどうかを判断し、判断結果がはい場合、ステップＳ２０２を実行し、それ以外の場合は、ステップＳ２０９を実行する。
【００４０】
Ｓ２０２：当該ＨＡＲＱがＡＣＫ（またはＮＡＣＫ）、またはＤＴＸであるかどうかを判断し、当該ＨＡＲＱがＡＣＫまたはＮＡＣＫであると判断した場合、ステップＳ２０３を実行し、当該ＨＡＲＱがＤＴＸであると判断した場合、ステップＳ２０６を実行する。
【００４１】
Ｓ２０３：受信された当該ＵＥよりフィードバックされたＨＡＲＱがＡＣＫまたはＮＡＣＫであり、現在の時刻がＣＣＥ集合度調整タイミングであるかどうかを判断し、判断結果がはい場合、ステップＳ２０４を実行し、現在の時刻がパワー調整タイミングである場合、ステップＳ２０５を実行し、それ以外の場合は、ステップＳ２０９を実行する。
【００４２】
Ｓ２０４：当該ＵＥのＣＣＥ集合度を下げて制御チャネルパワーを補償する。
【００４３】
具体的には、本発明において、当該ＵＥのＣＣＥ集合度を下げて制御チャネルパワーを補償することは、
現在のＵＥの制御チャネルパワーが設定された第１パワー閾値より小さいかどうか、かつ当該ＵＥの現在のＣＣＥ集合度が当該第１パワー閾値に対応するＣＣＥ集合度区間範囲内にあるかどうかを判断して、当該ＵＥの制御チャネルパワーが設定された第１パワー閾値より小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅の和に調整させ、調整後の当該ＣＣＥ統計量が設定された下げられたＣＣＥ集合度閾値より以下であるかどうかを判断して、当該調整後の当該ＣＣＥ統計量が設定された下げられたＣＣＥ集合度閾値よりも以下である場合、ＣＣＥ集合度を現在のＣＣＥ集合度の半分に調整させるとともに、ＣＣＥ統計量をリセットし、かつＵＥの現在のパワーによって、調整後の当該ＵＥのＣＣＥ集合度を最終的に確定し、設定された下げられたＣＣＥ集合度に対応するパワー補償ステップ幅によって、当該ＵＥの制御チャネルパワーを補償することを含む。
【００４４】
Ｓ２０５：当該ＵＥの制御チャネルパワーを下げる。
【００４５】
当該ＵＥの制御チャネルパワーを下げることは、設定されたパワー下向き調整ステップ幅によって、当該ＵＥの制御チャネルパワーを下げることを含む。
【００４６】
Ｓ２０６：受信された当該ＵＥよりフィードバックされたものが不連続送信ＤＴＸである場合、現在の時刻がＣＣＥ集合度調整タイミングであるかどうかを判断し、判断結果がはい場合、ステップＳ２０７を実行し、現在の時刻がパワー調整タイミングである場合、ステップＳ２０８を実行し、それ以外の場合は、ステップＳ２０９を実行する。
【００４７】
Ｓ２０７：当該ＵＥのＣＣＥ集合度を上げて制御チャネルパワーの調整を行なうかどうかを判断する。
【００４８】
具体的には、本発明において当該ＵＥのＣＣＥ集合度と調整制御チャネルパワーを上げることは、
現在のＵＥの制御チャネルパワーが設定された第２パワー閾値よりも大きいかどうか、かつ当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、調整後の当該ＣＣＥ統計量が設定された上げたＣＣＥ集合度閾値よりも大きいかどうかを判断して、当該調整後の当該ＣＣＥ統計量が設定された上げたＣＣＥ集合度閾値より大きい場合、ＣＣＥ集合度を現在のＣＣＥ集合度の２倍に調整させるとともに、ＣＣＥ統計量をリセットさせて、ＵＥの現在のパワーによって、調整後の当該ＵＥのＣＣＥ集合度を最終的に確定し、イネーブルスイッチがイネーブリングされるかどうかことによって、パワー調整を行なうかどうかを判断して、イネーブルスイッチがイネーブリングされる場合、設定された上げたＣＣＥ集合度に対応するパワー補償ステップ幅によって、当該ＵＥの制御チャネルパワーを調整することを含む。
【００４９】
Ｓ２０８：当該ＵＥの制御チャネルパワーを上げる。
【００５０】
当該ＵＥの制御チャネルパワーを上げることは、設定されたパワー上向き調整ステップ幅によって、当該ＵＥの制御チャネルパワーを上げることを含む。
【００５１】
Ｓ２０９：ＰＤＣＣＨ資源の確定を行なわない。
【００５２】
以下に具体的な実施形態を組み合わせて説明する。本発明の実施形態では、ＰＤＣＣＨのＲＥのパワー動的範囲をセル基準信号（Ｒｅｆｅｒｅｎｃｅ  Ｓｉｇｎａｌｓ：ＲＳ）のパワーに対して[Ｄ２_ＭＩＮ，Ｄ２_ＭＡＸ]ｄＢに制約し、かつＵＥに対してパワー閾値Ｄ２（ｉ）を設定し、ｉの値の範囲が１〜３の整数とするために、各パワー点のＣＣＥ集合度閾値を設定し、Ｄ２（１）パワー点に対応するＣＣＥ集合度がＬ（０）〜Ｌ（１）であり、Ｄ２（２）パワーに対応するＣＣＥ集合度がＬ（１）〜Ｌ（２）であり、Ｄ２（３）パワーに対応するＣＣＥ集合度がＬ（２）〜Ｌ（３）であり、Ｌ（ｉ）がＬ（ｉ+１）より小さく、Ｌ（ｉ）の値の範囲が{１，２，４，８}であり、Ｄ２（ｉ）の値の範囲が[Ｄ２_ＭＩＮ，Ｄ２_ＭＡＸ]であり、Ｄ２（ｉ）がＤ２（ｉ+１）より小さい。
【００５３】
基地局は、現在の時刻が上り（ＵＬ）フィードバック情報の取得時刻であると判断し、当該上りフィードバック情報の取得時刻にＵＥよりフィードバックされたＨＡＲＱを取得したかどうかを判断し、ＨＡＲＱをフィードバックするＵＥの各々に対してＰＤＣＣＨ資源の確定を行なう。
【００５４】
0005735178.tif 000002
【００５５】
0005735178.tif 000003
【００５６】
0005735178.tif 000004
【００５７】
0005735178.tif 000005
【００５８】
0005735178.tif 000006
【００５９】
0005735178.tif 000007
【００６０】
0005735178.tif 000008
【００６１】
0005735178.tif 000009
【００６２】
0005735178.tif 000010
【００６３】
0005735178.tif 000011
【００６４】
0005735178.tif 000012
【００６５】
0005735178.tif 000013
【００６６】
0005735178.tif 000014
【００６７】
0005735178.tif 000015
【００６８】
0005735178.tif 000016
【００６９】
0005735178.tif 000017
【００７０】
0005735178.tif 000018
【００７１】
0005735178.tif 000019
【００７２】
0005735178.tif 000020
【００７３】
0005735178.tif 000021
【００７４】
上記の方法によれば、各ＵＥの制御チャネルパワー及びＣＣＥ集合度を調整する。
【００７５】
0005735178.tif 000022
【００７６】
0005735178.tif 000023
【００７７】
0005735178.tif 000024
【００７８】
0005735178.tif 000025
【００７９】
0005735178.tif 000026
【００８０】
0005735178.tif 000027
【００８１】
0005735178.tif 000028
【００８２】
0005735178.tif 000029
【００８３】
0005735178.tif 000030
【００８４】
0005735178.tif 000031
【００８５】
0005735178.tif 000032
【００８６】
0005735178.tif 000033
【００８７】
0005735178.tif 000034
【００８８】
0005735178.tif 000035
【００８９】
0005735178.tif 000036
【００９０】
0005735178.tif 000037
【００９１】
0005735178.tif 000038
【００９２】
0005735178.tif 000039
【００９３】
図３は本発明に係る物理下り制御チャンネルＰＤＣＣＨ資源の確定装置の構成を示す図であり、前記装置は、
上りフィードバック情報の取得時刻に、ユーザー端末（ＵＥ）よりフィードバックされたハイブリッド自動再送要求（ＨＡＲＱ）を取得したかどうかを判断するように構成される判断モジュール３１と、
受信された当該ＵＥよりフィードバックされたＨＡＲＱが肯定応答（ＡＣＫ）または否定応答（ＮＡＣＫ）であり、かつ当該ＡＣＫまたはＮＡＣＫフィードバックが当該ＵＥの現在の制御チャネルパワーと制御チャネルエレメントＣＣＥ集合度に対応する場合、当該ＵＥの制御チャネルパワーとＣＣＥ集合度の少なくとも１つを下げるように構成される第１調整モジュール３２と、
受信された当該ＵＥよりフィードバックされたＨＡＲＱが不連続送信（ＤＴＸ）であり、かつ当該ＤＴＸフィードバックが当該ＵＥの制御チャネルパワーとＣＣＥ集合度に対応する場合、当該ＵＥの制御チャネルパワーとＣＣＥ集合度の少なくとも１つを上げるように構成される第２調整モジュール３３と、を備える。
【００９４】
前記第１調整モジュール３２は、具体的に、現在の時刻がＣＣＥ集合度調整タイミングであるかどうかを判断して、現在の時刻が現在のＣＣＥ集合度に対応するパワー調整タイミングであると判断した場合、当該ＵＥのＣＣＥ集合度を下げて制御チャネルパワーを補償し、現在の時刻がパワー調整タイミングであると判断した場合、当該ＵＥの制御チャネルパワーを下げるように構成される。
【００９５】
前記第１調整モジュール３２は、具体的に、現在のＵＥの制御チャネルパワーが設定された第１パワー閾値よりも小さいかどうか、かつ当該ＵＥの現在のＣＣＥ集合度が当該第１パワー閾値に対応するＣＣＥ集合度区間範囲内にあるかどうかを判断して、当該ＵＥの制御チャネルパワーが設定された第１パワー閾値よりも小さく、かつ当該ＵＥの現在のＣＣＥ集合度が当該第１パワー閾値に対応するＣＣＥ集合度区間範囲内にある場合、ＣＣＥ統計量を現在のＣＣＥ統計量と設定された非ＤＴＸに対応する調整ステップ幅との和に調整させ、調整後の当該ＣＣＥ統計量が設定された、下げられたＣＣＥ集合度閾値よりも以下であるかどうかを判断して、当該調整後の当該ＣＣＥ統計量が設定された、下げられたＣＣＥ集合度閾値よりも以下である場合、ＣＣＥ集合度を現在のＣＣＥ集合度の半分に調整させ、ＵＥの現在のパワーによって、調整後の当該ＵＥのＣＣＥ集合度を確定し、設定された、下げられたＣＣＥ集合度に対応するパワー補償ステップ幅によって、当該ＵＥの制御チャネルパワーを補償するように構成される。
【００９６】
前記第１調整モジュール３２は、具体的に、設定されたパワー下向き調整ステップ幅によって、当該ＵＥの制御チャネルパワーを下げるように構成される。
【００９７】
前記第２調整モジュール３３は、具体的に、現在の時刻がＣＣＥ集合度調整タイミングであるかどうかを判断して、現在のＣＣＥ集合度に対応するパワー調整タイミングであると判断した場合、当該ＵＥのＣＣＥ集合度を上げてイネーブルスイッチによって制御チャネルパワーを調整するかどうかを判断して、イネーブルスイッチがイネーブリングされる場合、制御チャネルパワーを上げ、現在の時刻がパワー調整タイミングであると判断した場合、当該ＵＥの制御チャネルパワーを上げるように構成される。
【００９８】
前記第２調整モジュール３３は、具体的に、現在のＵＥの制御チャネルパワーが設定された第２パワー閾値よりも大きいかどうか、かつ当該ＵＥの現在のＣＣＥ集合度が当該第２パワー閾値に対応するＣＣＥ集合度区間範囲内にあるかどうかを判断して、当該ＵＥの制御チャネルパワーが設定された第２パワー閾値よりも大きく、かつ当該ＵＥの現在のＣＣＥ集合度が当該第２パワー閾値に対応するＣＣＥ集合度区間範囲内にある場合、ＣＣＥ統計量を現在のＣＣＥ統計量と設定されたＤＴＸに対応する調整ステップ幅との和に調整させ、調整後の当該ＣＣＥ統計量が設定された上げたＣＣＥ集合度閾値よりも大きいかどうかを判断して、当該調整後の当該ＣＣＥ統計量が設定された上げたＣＣＥ集合度閾値よりも大きい場合、ＣＣＥ集合度を現在のＣＣＥ集合度の２倍に調整させ、ＵＥの現在のパワーによって、調整後の当該ＵＥのＣＣＥ集合度を確定し、かつネーブルスイッチがイネーブリングされる場合、設定された上げたＣＣＥ集合度に対応するパワー補償ステップ幅によって、当該ＵＥの制御チャネルパワーを調整するように構成される。
【００９９】
前記第２調整モジュール３３は、具体的に、設定されたパワー上向き調整ステップ幅によって、当該ＵＥの制御チャネルパワーを上げるように構成される。
【０１００】
具体的には、当該装置は、基地局に位置してもよい。
【０１０１】
本発明における実施形態では、ＵＥが当該基地局より送信された情報を受信したかどうかことによって、ＵＥの制御チャネルパワーとＣＣＥ集合度を調整し、ＵＥよりフィードバックされたＡＣＫまたはＮＡＣＫを受信した場合、ＵＥが基地局より送信された情報を受信したと確認し、制御チャネルのパワーとＵＥのＣＣＥ集合度を下げ、ＵＥよりフィードバックされたＤＴＸを受信した場合、ＵＥが基地局より送信された情報を受信していないと確認し、制御チャネルのパワーとＵＥのＣＣＥ集合度を上げる必要があり、このように、制御チャネルパワーとＣＣＥ集合度調整の合理性及び正確性を保証することができる。
【０１０２】
上記は、本発明の１つの好適な実施形態を示して説明したが、上述したように、本発明は、本明細書に開示された形態に限定されるものではなく、他の実施形態を排除するとみなすべきではなく、様々な他の組み合わせ、変更及び環境に用いられることができ、かつ、本明細書に記載される本発明の構想範囲内、上記の教示や関連領域の技術や知識によって変更することができると理解すべきである。当業者より行われる修正と変形は、本発明の精神及び範囲から逸脱することなく、すべて本発明に添付した特許請求の範囲内に属するべきである。
【図１】
0005735178.tif 000040
【図２】
0005735178.tif 000041
【図３】
0005735178.tif 000042